(57)【要約】【課題】本発明では、システムオンパネルの狭額縁化を実現することを目的とする。また、パネル上に搭載されるシステムの高機能化または、多機能化を図ることを目的とする。【解決手段】本発明では、画素部（液晶素子、発光素子を含む）および駆動回路が形成されたパネル上に、従来、外部回路を構成していた集積回路を積層形成することを特徴とする。具体的には、パネル上の画素部、駆動回路のうち、駆動回路と重なる位置に上述した集積回路のうちのいずれか一種、または複数種を転写技術により積層形成することを特徴とする。【選択図】  図１
2004247373.tif 000002
【特許請求の範囲】
【請求項１】
基板上に画素部と駆動回路を有する半導体装置であって、
前記駆動回路と重なる位置に積層回路を有することを特徴とする半導体装置。
【請求項２】
基板上に画素部と駆動回路を有する半導体装置であって、
前記積層回路は、前記駆動回路と重なる位置に設けられ、かつ別の基板上に形成された素子形成層を転写してなる集積回路が積層されたものであることを特徴とする半導体装置。
【請求項３】
基板上の画素部および駆動回路の一部または全部と電気的に接続された積層回路を有する半導体装置であって、
前記積層回路は、前記駆動回路と重なる位置に設けられることを特徴とする半導体装置。
【請求項４】
基板上の画素部および駆動回路の一部または全部と電気的に接続された積層回路を有する半導体装置であって、
前記積層回路は、前記駆動回路と重なる位置に設けられ、かつ別の基板上に形成された素子形成層を転写してなる集積回路を積層してなることを特徴とする半導体装置。
【請求項５】
請求項２または請求項４において、
前記集積回路は、ディスプレイコントローラ、フレームメモリ、電源回路、ＣＰＵ、またはメモリのうちのいずれか一つであることを特徴とする半導体装置。
【請求項６】
請求項２、請求項４、または請求項５において、
前記積層回路は、前記集積回路を１層、または２層以上積層してなることを特徴とする半導体装置。
【請求項７】
請求項１乃至請求項６のいずれか一において、
前記画素部は、発光素子または液晶素子を有することを特徴とする半導体装置。
【請求項８】
請求項１乃至請求項６のいずれか一において、
前記画素部は、第１の電極、電界発光層および第２の電極からなる発光素子を有し、かつ前記第１の電極および前記第２の電極は透光性を有することを特徴とする半導体装置。
【請求項９】
請求項１乃至請求項８のいずれか一において、
前記半導体装置は、アクティブマトリクス型、またはパッシブマトリクス型であることを特徴とする半導体装置。
【発明の詳細な説明】
【０００１】
【発明の属する技術分野】
本発明は、薄膜トランジスタ（ＴＦＴ）を含む半導体装置に関する。特に画素部および駆動回路を含むパネル上に集積回路を搭載する技術に関する。
【０００２】
【従来の技術】
近年、同一基板上に形成された半導体薄膜（厚さ数〜数百ｎｍ程度）を用いて形成された薄膜トランジスタ（ＴＦＴ）を有する半導体装置に関して、様々な技術開発が進められている。
【０００３】
このような半導体装置のうち、パネルとなる基板上に画素部だけでなく、内部回路として駆動回路が一体形成され、外部回路が、パネルの外部に形成された構造が知られている（例えば、特許文献１参照。）。
【０００４】
これに対して、外部回路を一体形成したシステムオンパネルを作製すべくパネル上に外部回路を搭載しようとすると、画素部や駆動回路の面積を削減したり、外部回路を搭載するためのスペースを新たに設けたりする必要が出てくるため、高精細化、高速駆動が図れないばかりか、パネルが大型化してしまうという問題が生じる。
【０００５】
【特許文献１】
特開２００２−４９３５９号公報
【０００６】
【発明が解決しようとする課題】
そこで、本発明では、システムオンパネルの狭額縁化を実現することを目的とする。また、パネル上に搭載されるシステムの高機能化または、多機能化を図ることを目的とする。
【０００７】
【課題を解決するための手段】
本発明では、画素部（液晶素子、発光素子を含む）および駆動回路が形成されたパネル上に、従来、外部回路を構成していた集積回路を積層形成することを特徴とする。
【０００８】
具体的には、パネル上の画素部、駆動回路のうち、駆動回路と重なる位置に上述した集積回路のうちのいずれか一種、または複数種を転写技術により積層形成することを特徴とする。なお、パネル上の画素部、および駆動回路は転写技術により形成されたものであっても、基板上に直接形成されたものであっても良い。
【０００９】
なお、本発明において、デザインルール（設計ルール）や、機能の異なる集積回路を積層形成することができる。また、本発明に用いる転写技術としては、本明細書中で示すように基板上に形成された素子形成層を金属酸化物層において基板から剥離する方法を含む転写技術を用いることもできるが、例えば、基板上に水素を含むアモルファスシリコン膜を成膜した後、レーザー光を照射することにより基板から素子形成層を剥離する方法を含む転写技術や、素子形成層が形成された基板を溶液やガスを用いてエッチングまたは機械的に削る方法含む転写技術といった公知の技術を用いることもできる。なお、ここでは、転写技術により転写される層を素子形成層と呼び、本発明においてパネル上の駆動回路上に転写技術を用いて積層形成されるディスプレイコントローラ、メモリコントローラ、ＣＰＵ（Ｃｅｎｔｒａｌ  Ｐｒｏｃｅｓｓｉｎｇ  ｕｎｉｔ）、ＭＰＵ（Ｍｉｃｒｏ  Ｐｒｏｃｅｓｓｏｒ  ｕｎｉｔ）、メモリ等の集積回路を含み、さらにパネルを構成する基板上の画素部（液晶素子、発光素子を含む）や、駆動回路が転写技術により形成される場合には、これらも素子形成層に含めることとする。
【００１０】
また、駆動回路上に積層形成された集積回路は、駆動回路と電気的に接続されるものとする。
【００１１】
以上のように、パネル上の駆動回路と重なる位置に１種または２種以上の集積回路を積層して得られた積層回路を形成することにより、集積回路を形成するためのスペースが特に必要とならないので、デザインルールの異なる集積回路（例えば、０．３５〜１μｍのデザインルールの集積回路と、１〜５０μｍのデザインルールの集積回路等）や機能の異なる集積回路（例えば、ディスプレイコントローラ、メモリコントローラ、ＣＰＵ（Ｃｅｎｔｒａｌ  Ｐｒｏｃｅｓｓｉｎｇ  ｕｎｉｔ）、ＭＰＵ（Ｍｉｃｒｏ  Ｐｒｏｃｅｓｓｏｒ  ｕｎｉｔ）、メモリ等）を複数形成することも可能である。
【００１２】
また、転写技術により形成される素子形成層は、その膜厚が５０μｍ以下であることから複数層を積層した場合でも、全体の膜厚増加に大きな影響を与えることはない。
【００１３】
さらに、駆動回路と重なる位置に集積回路を積層形成することにより、画素部に形成される素子が両面発光型の場合に開口率に影響を与えることなく半導体装置を形成することができる。
【００１４】
以上より、本発明の構成は、基板上に画素部と駆動回路を有する半導体装置であって、前記駆動回路と重なる位置に積層回路を有することを特徴とする半導体装置である。
【００１５】
また、基板上に画素部と駆動回路を有する半導体装置であって、前記積層回路は、前記駆動回路と重なる位置に設けられ、かつ別の基板上に形成された素子形成層を転写してなる集積回路が積層されたものであることを特徴とする半導体装置である。
【００１６】
なお、上記構成において、積層回路は、画素部および駆動回路の全部または、一部と電気的に接続されており、積層回路を構成する集積回路は、ディスプレイコントローラ、フレームメモリ、電源回路、ＣＰＵ、またはメモリのうちのいずれか一つであることを特徴とする。さらに、積層回路は、集積回路を、１層、または２層以上積層してなることを特徴とする。
【００１７】
また、本発明における半導体装置は、アクティブマトリクス型、またはパッシブマトリクス型であって、パネル上の画素部に発光素子、または液晶素子を有することを特徴とする。なお、発光素子を有する場合には、発光素子の第１の電極、電界発光層および第２の電極のうち、第１の電極および前記第２の電極を透光性材料により形成し、第１の電極および第２の電極の両電極から電界発光層で生じた光を出射させる両面発光構造とすることもできる。
【００１８】
【発明の実施の形態】
以下、本発明の実施の形態について詳細に説明する。
図１は、本発明により形成される半導体装置のモジュールの構成について示す斜視図である。
【００１９】
図１に示す半導体装置は、基板１０１上に画素部１０２および駆動回路（ソース側駆動回路１０３、ゲート側駆動回路（１０４、１０５）が形成され、ソース側駆動回路１０３上に複数の回路が積層されてなる積層回路１０６が形成されている。なお、ここでは、ソース側駆動回路１０３上に積層回路１０６が形成される場合について示したが、本発明は、これに限られることはなくゲート側駆動回路（１０４、１０５）上に形成される構成とすることもできる。
【００２０】
なお、積層回路１０６に含まれる集積回路としては、ディスプレイコントローラ、フレームメモリ、電源回路、ＣＰＵ、メモリコントローラ、またはメモリ等が挙げられる。
【００２１】
また、基板１０１上には、ＦＰＣ１０７が貼り付けられており、外部からの信号は、ＦＰＣ１０７を介して、上述した積層回路１０６の他、パネル上の駆動回路または画素部に入力される。
【００２２】
なお、パネル上の画素部には、液晶素子、または発光素子が形成されており、発光素子を形成する場合には、パネルの両面に発光する両面発光型の発光素子を設けることもできる。
【００２３】
本発明において、積層回路１０６は、転写技術を用いて、各回路を順次積層形成するが、集積回路１０６だけでなく画素部や駆動回路を転写技術により形成しても良い。
【００２４】
次に、パネル上の積層回路について詳細に説明する。図２（Ａ）には、本発明により形成される半導体装置のモジュールの断面図を示す。
【００２５】
基板２０１上には、画素部２０２および駆動回路２０３が形成されており、駆動回路２０３上には積層回路２０４が形成されている。なお、積層回路２０４の各層には、それぞれ回路が形成されており、転写技術により積層された際には、それぞれが電気的な接続を得られるように形成されている。
【００２６】
図２（Ｂ）には、積層回路２０４の作製工程を示す。すなわち、基板２０１上に形成された駆動回路２０３上に、別の基板（ここでは、第１の素子基板２１１とよぶ）上に形成され、１層目となる第１の素子形成層２１２を転写技術により積層する。なお、このとき駆動回路２０３に含まれる配線と第１の素子形成層２１２に含まれる配線とが電気的に接続されるようにする。
【００２７】
第１の素子形成層２１２が駆動回路２０３上に転写された後、第１の素子形成層２１２から第１の素子基板２１１を剥離する。なお、このとき、第１の素子形成層２１２に含まれる配線の一部は表面に露出される。
【００２８】
次に、第１の素子形成層２１２上に別の基板（ここでは、第２の素子基板２１３とよぶ）上に形成され、２層目となる第２の素子形成層２１４を転写技術により積層する。なお、このとき第１の素子形成層２１２に含まれる配線と第２の素子形成層２１４に含まれる配線とが電気的に接続されるようにする。
【００２９】
第２の素子形成層２１４が第１の素子形成層２１２上に転写された後、第２の素子形成層２１４から第２の素子基板２１３を剥離する。なお、このとき、第２の素子形成層２１４に含まれる配線の一部は表面に露出される。
【００３０】
さらに、第２の素子形成層２１４上に別の基板（ここでは、第３の素子基板２１５とよぶ）上に形成され、３層目となる第３の素子形成層２１６を転写技術により積層する。なお、このとき第２の素子形成層２１４に含まれる配線と第３の素子形成層２１６に含まれる配線とが電気的に接続されるようにする。
【００３１】
そして、第３の素子形成層２１６が第２の素子形成層２１４上に転写される。なお、ここで形成される第３の素子形成層２１６が積層回路の最上層である場合には、必ずしも第３の素子形成層２１６から第３の素子基板２１５を剥離する必要はなく、剥離してもしなくてもどちらでも良い。
【００３２】
以上のようにして、パネルの駆動回路２０３上に積層回路２０４が形成される。なお、本実施の形態では、積層回路２０４が３層からなる場合について示したが、本発明はこれに限られることはなく、１層以上からなれば何層積層されていても良い。
【００３３】
【実施例】
以下に、本発明の実施例について説明する。
【００３４】
（実施例１）
本実施例では、本発明の積層回路に映像処理を行う上で不可欠なディスプレイコントローラおよび電源回路を含む場合の構成について図３のブロック図を用いて説明する。
【００３５】
すなわち、基板３０１上の所望の位置に画素部３０２と、駆動回路であるソース側駆動回路３０３、およびゲート側駆動回路（３０４、３０５）が形成されている。そして、ソース側駆動回路３０３上に積層されるディスプレイコントローラ３０６、フレームメモリＡ（３０７）、フレームメモリＢ（３０８）および電源回路３０９を有している。
【００３６】
なお、パネル上の配線は、ＦＰＣ３１０を介して、信号制御回路３２１（ＣＰＵ３２２、メモリコントローラ３２３、メモリ３２４）と接続されている。また、ＦＰＣ３１０を介してディスプレイコントローラ３０６には、基準クロック信号（ＣＫ）、同期信号（ＨＳＹＮＣ＆ＶＳＹＮＣ）、映像信号等が入力され、電源回路３０９には基準電源等がそれぞれ入力される。
【００３７】
電源回路３０９からは、フレームメモリＡ（３０７）、およびフレームメモリＢ（３０８）に、それぞれフレームメモリ用電源３１４が入力され、ソース側駆動回路３０３にソース側駆動回路用電源３１１が入力され、ゲート側駆動回路３０５にゲート側駆動回路用電源３１２が入力され、ディスプレイコントローラ３０６にディスプレイコントローラ用電源３１３が入力され、画素部３０２に素子用電源３１５が入力される。
【００３８】
また、フレームメモリＡ（３０７）、およびフレームメモリＢ（３０８）からは、それぞれフレームメモリ  リード・ライト制御信号３１８が入力される。さらに、ディスプレイコントローラ３０６からは、ソース側駆動回路３０３にソース側駆動回路クロック信号・スタートパルス３１６が入力され、ゲート側駆動回路３０５にゲート側駆動回路クロック信号・スタートパルス３１７が入力される。
【００３９】
次に、ディスプレイコントローラ３０６および電源回路３０９の構成について、図４（Ａ）（Ｂ）を用いて詳細に説明する。
【００４０】
図４（Ａ）において、ディスプレイコントローラ３０６は、分周回路４０１、水平クロック発生回路４０２、垂直クロック発生回路４０３、メモリＲ／Ｗ制御回路４２２、Ｘカウンタ（４２３、４２５）、Ｙカウンタ（４２４、４２６）、Ｘデコーダ（４２７、４２９）、Ｙデコーダ（４２８、４３０）、映像信号処理回路４０２を有する。
【００４１】
分周回路４０１、水平クロック発生回路４０２、垂直クロック発生回路４０３において、外部より入力される基準クロック信号、水平同期信号（ＨＳＹＮＣ）、垂直同期信号（ＶＳＹＮＣ）から、ソース側クロック信号、ソース側スタートパルス、データラッチ信号、ゲート側クロック信号、ゲート側スタートパルス等を生成する。
【００４２】
また、メモリＲ／Ｗ制御回路４２２において、フレームメモリＡ、フレームメモリＢの書き込み、読み出しの状態制御を行う。さらに、Ｘカウンタ（４２３、４２５）、Ｙカウンタ（４２４、４２６）、Ｘデコーダ（４２７、４２９）、Ｙデコーダ（４２８、４３０）は、フレームメモリＡ、フレームメモリＢそれぞれのメモリアドレスの選択を行う。
【００４３】
映像信号処理回路４０２において、外部より入力される映像信号ソースを、半導体装置の駆動方法に対応した形式である映像信号（ＶＤＡＴＡ）に変換し、半導体装置のソース側駆動回路に供給する。映像信号の変換としては、主にデータ入力順序の変換、Ｄ／Ａ変換もしくはＡ／Ｄ変換等があるが、ここではフレームメモリを用い、データ入力順序の変換を行っている。
【００４４】
図４（Ｂ）に示す電源回路３０９は、外部より入力される基準電源を用い、それぞれ適当な電位を有する電源を供給する。ここでは、ソース側駆動回路を駆動するための、ソース側駆動回路用電源、ゲート側駆動回路を駆動するための、ゲート側駆動回路用電源、画素部に形成された素子（発光素子など）に電流を供給するための素子用電源、ディスプレイコントローラを駆動するための、ディスプレイコントローラ用電源、フレームメモリを駆動するための、フレームメモリ用電源を生成、供給している。
【００４５】
（実施例２）
本実施例では、積層された集積回路の作製方法について、図５〜８を用いて詳細に説明する。
【００４６】
図５（Ａ）には、第１の基板５００上に金属層５０１、金属酸化物層５０２、および酸化物層５０３が順次積層され、その上に素子形成層５０４が形成された状態を示す。
【００４７】
第１の基板５００としては、ガラス基板、石英基板、プラスチック基板、セラミック基板、シリコン基板、金属基板またはステンレス基板を用いることができるが、本実施例では、ガラス基板であるＡＮ１００を用いることとする。
【００４８】
そして、第１の基板５００上に形成される金属層５０１に用いる材料としては、Ｗ、Ｔｉ、Ｔａ、Ｍｏ、Ｎｄ、Ｎｉ、Ｃｏ、Ｚｒ、Ｚｎ、Ｒｕ、Ｒｈ、Ｐｄ、Ｏｓ、Ｉｒ、Ｐｔから選ばれた元素、または前記元素を主成分とする合金材料若しくは化合物材料からなる単層、またはこれらの積層、或いは、これらの窒化物、例えば、窒化チタン、窒化タングステン、窒化タンタル、窒化モリブデンからなる単層、またはこれらの積層を用いればよい。なお、金属層５０２の膜厚は１０ｎｍ〜２００ｎｍ、好ましくは５０ｎｍ〜７５ｎｍとすればよい。
【００４９】
ここで、スパッタリング法により金属層５０１を形成する場合には、第１の基板５０１を固定するため、第１の基板５０１の周縁部付近における膜厚が不均一になりやすい。そのため、ドライエッチングによって周縁部のみを除去することが好ましいが、その際、第１の基板５００もエッチングされないように、第１の基板５００と金属層５０１との間に酸化窒化シリコン膜からなる絶縁膜を１００ｎｍ程度形成することもできる。
【００５０】
金属層５０１上には、金属酸化物層５０２および酸化物層５０３が形成されるが、本実施例では、まず酸化物層５０３を形成した後、金属層５０１の一部が後の工程において酸化され、金属酸化物層５０２となる場合について説明する。
【００５１】
すなわち、ここでは金属層５０１としてタングステンからなる層（膜厚１０ｎｍ〜２００ｎｍ、好ましくは５０ｎｍ〜７５ｎｍ）を形成し、さらに大気にふれることなく、酸化物層５０３、ここでは酸化シリコン層（膜厚１５０ｎｍ〜２００ｎｍ）を積層形成する。酸化物層５０３の膜厚は、金属層５０１の膜厚の２倍以上とすることが望ましい。例えば、酸化シリコンターゲットを用いたスパッタリング法により、酸化シリコン膜を１５０ｎｍ〜２００ｎｍの膜厚とするのが好ましい。
【００５２】
また、酸化物層５０３上に形成される素子形成層５０４は、ＴＦＴ（ｐチャネル型ＴＦＴ、またはｎチャネル型ＴＦＴ）を適宜組み合わせて形成された集積回路が形成される層のことをいう。ここで示すＴＦＴは、下地膜５０５上の半導体膜の一部に形成された不純物領域５０５およびチャネル形成領域５０６、ゲート絶縁膜５０７、およびゲート電極５０８により構成され、配線５０９により電気的に接続されている。
【００５３】
また、この素子形成層５０４を形成する際に、少なくとも水素を含む材料膜（半導体膜または金属膜）を形成した後に水素を含む材料膜中に含まれる水素を拡散するための熱処理を行う。この熱処理は４２０℃以上であればよく、素子形成層５０４の形成プロセスとは別途行ってもよいし、兼用させて工程を省略してもよい。例えば、水素を含む材料膜として水素を含むアモルファスシリコン膜をＣＶＤ法により成膜した後、結晶化させるため５００℃以上の熱処理を行えば、加熱によりポリシリコン膜が形成できると同時に水素の拡散を行うことができる。
【００５４】
なお、この熱処理を行うことにより、金属層５０１と酸化物層５０３との間に結晶構造を有する金属酸化物層５０２が形成される。なお、金属層５０１と酸化物層５０３とを積層形成する際に、金属膜５０１ａと酸化シリコン膜５０２との間に２ｎｍ〜５ｎｍ程度形成されていたアモルファス状態の金属酸化物層（酸化タングステン膜）もこの熱処理により結晶構造を形成するため金属酸化物層５０２に含まれる。
【００５５】
本実施例では、素子形成層の一部を作製する工程において、金属酸化物層５０２が形成される場合について説明したが、本発明はこの方法に限られることはなく、金属層５０１を形成した後、金属酸化物層５０２を形成し、酸化物層５０３を形成する方法でも良い。
【００５６】
次に、素子形成層５０４上に有機樹脂層５１１を形成する。有機樹脂層５１１に用いる材料としては、水またはアルコール類に可溶な有機材料を用い、これを全面に塗布、硬化することにより形成する。この有機材料の組成としては、例えば、エポキシ系、アクリレート系、シリコン系等のいかなるものでもよい。具体的には、スピンコート法により水溶性樹脂（東亜合成製：ＶＬ−ＷＳＨＬ１０）（膜厚３０μｍ）を塗布し、仮硬化させるために２分間の露光を行ったあと、ＵＶ光を裏面から２．５分、表面から１０分、合計１２．５分の露光を行って本硬化させることにより有機樹脂層５１１が形成される。
【００５７】
なお、後の剥離を行いやすくするために、金属酸化物層５０２における密着性を部分的に低下させる処理を行う。密着性を部分的に低下させる処理は、剥離しようとする領域の周縁に沿って金属層５０２または酸化物層５０３にレーザー光を部分的に照射する処理、或いは、剥離しようとする領域の周縁に沿って外部から局所的に圧力を加えて酸化物層５０３の層内または界面の一部分に損傷を与える処理である。具体的にはダイヤモンドペンなどで硬い針を垂直に押しつけて荷重をかけて動かせばよい。好ましくは、スクライバー装置を用い、押し込み量を０．１ｍｍ〜２ｍｍとし、圧力をかけて動かせばよい。このように、剥離を行う前に剥離現象が生じやすくなるような部分、即ち、きっかけをつくることが重要であり、密着性を選択的（部分的）に低下させる前処理を行うことで、剥離不良がなくなり、さらに歩留まりも向上する。
【００５８】
次に、第１の接着層５１２を形成することにより、有機樹脂層５１１上に第１の接着層５１２を介して第２の基板５１３を貼り付けることができる。なお、第１の接着層５１１を形成する材料としては、後の工程において、所定の処理を行うことにより接着性を弱めることのできる公知の材料を用いることができるが、本実施例では、後の工程において、光照射により接着力が低下する感光性の両面テープを用いる場合について説明する。
【００５９】
さらに、第１の基板５０１の露出面にも同様に第２の接着層５１４を形成し、第２の接着層５１４を介して第３の基板５１５を貼り付ける。なお、第２の接着層５１４を形成する材料は、第１の接着層５１２と同様に両面テープを用いることとする。ここで貼り付けた第３の基板５１５は、後の剥離工程で第１の基板５０１が破損することを防ぐ。第２の基板５１３および第３の基板５１５としては、第１の基板５０１よりも剛性の高い基板、例えば石英基板、半導体基板を用いることが好ましい。
【００６０】
次に、上記密着性を部分的に低下させた領域側から剥離させ、金属層５０１が設けられている第１の基板５０１を物理的手段により引き剥がす。本実施例の場合には、金属層５０１および基板５００を金属酸化物層５０２の部分において、比較的小さな力（例えば、人間の手、ノズルから吹付けられるガスの風圧、超音波等）で引き剥がすことができる。具体的には、酸化タングステン膜中、または酸化タングステン膜と酸化シリコン膜との界面、または酸化タングステン膜とタングステン膜との界面で分離させ、引き剥がすことができる。こうして、酸化物層５０３上に形成された素子形成層５０４を第１の基板５０１から分離することができる。剥離時の状態を図６（Ａ）に示す。
【００６１】
また、剥離により露出した表面には、金属酸化物層５０２の一部が残っており、これは、後の工程において、露出面を基板等に接着する際に密着性を低下させる原因となることから、露出面に残っている金属酸化物層５０２の一部を除去する処理を行うことが好ましい。なお、これらを除去するためには、アンモニア水溶液などのアルカリ性の水溶液や酸性水溶液などを用いることができる。その他、金属酸化物層５０２の一部が剥離しやすくなる温度（４３０℃）以下で、以降の工程を行っても良い。
【００６２】
剥離および金属酸化物層５０２の一部を除去した後、フォトリソグラフィーによるマスクを用いたパターニング方法により、表面に露出した酸化物層５０３側から配線５０５に達する開口部５１６を形成する（図６（Ｂ））。
【００６３】
そして、形成された開口部５１６に補助配線５１７を形成し、図６（Ｃ）に示す構造（点線６０１）を得る。なお、ここで用いる配線材料としては、Ａｇ、Ａｕ、Ｔａ、Ｗ、Ｔｉ、Ｍｏ、Ａｌ、Ｃｕから選ばれた元素、または前記元素を主成分とする合金もしくは化合物で形成する。なお、後の工程で基板に貼り付けられた素子形成層に重ねて別の素子形成層を形成する場合には、この状態（６０１）で積層することになる。
【００６４】
次に、第３の接着層（異方導電性接着層）５１８を形成し、第３の接着層５１８を介して第４の基板５１９と酸化物層５０３（及び素子形成層５０４）とを接着する（図７（Ａ））。なお、ここでいう第４の基板５１９とは、ガラス基板、石英基板、セラミック基板、プラスチック基板、シリコン基板、金属基板、またはステンレス基板等の素材の基板上に既に画素部や駆動回路が形成された基板をいい、駆動回路と重なる部分に酸化物層５０３（及び素子形成層５０４）が接着される。これにより、駆動回路部分に形成された配線と素子形成層５０４に形成された配線等が、補助配線５１７及び第３の接着層（異方導電性接着層）５１８を介して電気的に接続される。
【００６５】
なお、本実施例では、駆動回路上に集積回路が積層されることから、高い熱伝導率を有する基板（例えば、酸化アルミニウム（アルミナ）、窒化アルミニウム、窒化酸化アルミニウム、窒化珪素などを主成分とするセラミック基板）を用いることがより好ましい。
【００６６】
また、第１の接着層５１２により接着された第２の基板５１３と有機樹脂層５１１との密着性よりも、第３の接着層５１８により接着された酸化物層５０３（及び素子形成層５０４）と第４の基板５１９との密着性の方が高いことが重要である。
【００６７】
また、第３の接着層（異方導電性接着層）５１８に用いる材料としては、反応硬化型接着剤、熱硬化型接着剤、紫外線硬化型接着剤等の光硬化型接着剤、嫌気型接着剤などの各種硬化型接着剤に異方導電性材料を分散させたものを用いることができる。また、異方導電性材料としては、Ａｇ、Ａｕ、Ａｌ等の金属粒子を絶縁性被膜で覆ったものを用いることができる。
【００６８】
次に、第２の基板５１３側から紫外線を照射することにより、第１の接着層５１２に用いている両面テープの接着力を低下させ、素子形成層５０４から第２の基板５１３を分離させる（図７（Ｂ））。さらに、ここで露出した表面を水洗することにより、第１の接着層５１２および有機樹脂層５１１を溶かして除去することができる。
【００６９】
次に、本実施例では、表面に露出した絶縁膜上に熱伝導性膜５２０を形成する。なお、ここで示す熱伝導性膜５２０は、必ずしも必要ではないが、駆動時に生じた熱を放出することができ、熱による素子等の不良を防ぐことができるので、形成しておくのが好ましい。熱伝導性膜５２０としては、窒化アルミニウム、窒化酸化アルミニウム、ダイヤモンドライクカーボン（ＤＬＣ）等の膜を用いることができ、スパッタリング法、反応性スパッタリング法、イオンビームスパッタリング法、ＥＣＲ（電子サイクロトロン共鳴）スパッタリング法、イオン化蒸着法等の気相成膜法を用いて形成することができる。
【００７０】
なお、熱伝導性膜５２０を形成することにより得られる状態を図７（Ｃ）に示す。
【００７１】
次に、図７（Ｃ）の熱伝導性膜５２０上に第４の接着層５２１を形成する。ここで、第４の接着層５２１を介して図６（Ｃ）までの工程を経て得られた６０１の状態を有する別の素子形成層が接着される（図８（Ａ））。なお、ここでは、６０１の状態を有する別の素子形成層を第２の素子形成層７０１と呼び、第４の基板５１９上に形成されている素子形成層を第１の素子形成層７０２と呼ぶことにする。
【００７２】
また、第２の素子形成層７０１上には、有機樹脂層５２２、第５の接着層５２３、および第５の基板５２４が形成されている。なお、本実施例の場合には、各素子形成層が積層された際に、第１の素子形成層７０２の配線５０５と、第２の素子形成層７０１の補助配線５２５とが第４の接着層（異方導電性接着層）５２１を介して電気的に接続されるため、各素子形成層の大きさ（面積）は同じであっても異なっていても問題ない。
【００７３】
次に、第５の基板５２４側から紫外線を照射することにより、第５の接着層５２３に用いている両面テープの接着力を低下させ、第２の素子形成層７０１から第５の基板５２４を分離させる（図８（Ｂ））。さらに、ここで露出した表面を水洗することにより、第５の接着層５２３および有機樹脂層５２２を溶かして除去することができる。
【００７４】
以上により、図８（Ｃ）に示すように第１の素子形成層７０２と第２の素子形成層７０１とが積層された構造を形成することができる。なお、本実施例では、図８（Ａ）の工程を経て、有機樹脂層５２２、第５の接着層５２３および第５の基板５２４が除去することにより図８（Ｃ）に示す積層構造が形成される場合について説明したが、本発明は、これに限られることはなく、図８（Ａ）において接着して得られる構造とすることもできる。
（実施例３）
本実施例では、実施例２で示した積層構造とは異なるものであって、複数の素子形成層が積層された後、最後に積層された素子形成層が、基板上に形成された駆動回路上に接着して得られる集積回路の積層構造について図９、１０を用いて説明する。
【００７５】
図９（Ａ）に示すように第１の基板８００上に第１の素子形成層９０２が形成されており、さらに、第１の基板８００には、第２の接着層８１４を介して第２の基板８１５が接着されている。
【００７６】
なお、本実施例では、この時点で第１の基板８００、第２の接着層８１４、および第２の基板８１５を金属酸化物層８０２において剥離せず、第１の素子形成層９０２上の配線８０５と重ならない位置に熱伝導性膜８２０を形成する。なお、ここで形成される熱伝導性膜８２０は、実施例２における熱伝導性膜５２０に用いたものと同様の材料を用いて同様の方法で形成すればよい。
【００７７】
次に熱伝導性膜８２０が形成された第１の素子形成層９０２上に第１の接着層８２１を形成した後、第２の素子形成層９０１を接着する。なお、第１の接着層８２１は、異方導電性の接着剤により形成される異方導電性接着層である。
【００７８】
また、ここで接着される第２の素子形成層９０２は、実施例２の図８（Ａ）に示す第２の素子形成層７０１と同様の構造を有する。すなわち、第２の素子形成層９０１に形成される配線と電気的に接続された補助配線８２５を有しており、また、配線上に有機樹脂層８２２、第３の接着層８２３、第３の基板８２４を有している。なお、補助配線８２５は、第１の素子形成層と接着された際に第１の接着層８２１を介して第１の素子形成層９０２における配線８０５と電気的に接続される。
【００７９】
第１の素子形成層９０２と第２の素子形成層９０１とを接着させた後、第３の基板８２４側から紫外線を照射することにより、第３の接着層８２３に用いている両面テープの接着力を低下させ、第２の素子形成層９０１から第３の基板８２４を分離させる。さらに、ここで露出した表面を水洗することにより、第３の接着層８２３および有機樹脂層８２２を溶かして除去することができる。
【００８０】
次に、第２の素子形成層９０１の表面に露出した配線に接してバンプ８２５を形成し、駆動回路を有する第４の基板８２７上に異方導電性の接着剤により形成される第４の接着層８２８を介して接着させる。これにより、第４の基板８２７上の駆動回路に形成される配線と第２の素子形成層９０１の表面に露出した配線とが、バンプ８２５を介して電気的に接続される。なお、バンプ８２５を形成する材料としては、タングステン（Ｗ）、タングステン−レニウム（Ｗ−Ｒｅ）、パラジウム（Ｐｄ）、ベリリウム銅（ＢｅＣｕ）等を用いることができる。
【００８１】
なお、図９（Ｂ）には、図９（Ａ）に示す素子形成層の積層構造を反転させた状態を示す。
【００８２】
次に、実施例２の図６（Ａ）で説明したのと同様に金属層８０１と酸化物層８０３との間の金属酸化物層８０２で物理的に剥離させることにより、第１の基板８００、第２の接着層８１４、および第２の基板８１５を分離除去する。
【００８３】
さらに、本実施例では、第２の素子形成層９０２の上に存在する金属酸化物層８０２の一部をアンモニア水溶液などのアルカリ性の水溶液や酸性水溶液などを用いて除去する。なお、この処理は必要に応じて行えばよい。
【００８４】
以上により、図１０（Ｂ）に示すように熱伝導性の基板（第４の基板８２７）上に第２の素子形成層９０１と第１の素子形成層９０２とが積層された構造（実施例２とは異なる構造）を形成することができる。
【００８５】
（実施例４）
本実施例では、実施例２に示した集積回路の作製工程を自動化させた装置について図１１を用いて説明する。なお、必要に応じて実施例２で用いた名称や番号を引用することとする。
【００８６】
まず、カセットステーション１１０１に素子形成層を有する第１の基板（図５（Ａ）に示す状態の基板）を備えておく。次に、第１の基板を搬送室（Ａ）１１０２ａに備えられた搬送手段（Ａ）１１０３ａによりカセットステーション１１０１から取り出した後、塗布室１１０５に搬送する。そして、塗布室１１０５において、基板上に有機樹脂を塗布する。さらに、第１の基板を搬送手段（Ａ）１１０３ａにより、ＵＶ照射室（１）１１０６に搬送し、先に塗布された有機樹脂にＵＶ（紫外線）を照射することにより、有機樹脂層を形成する（図５（Ｂ）参照）。
【００８７】
次に、第１の基板を受け渡し室（Ａ）１１０４ａから、搬送室（Ｂ）１１０２ｂの搬送機構（Ｂ）１１０３ｂにより、スクライブ室１１０７に搬送する。なお、スクライブ室１１０７において、スクライバーにより基板の一部を分断することにより、後工程において、基板を剥離し易くすることができる。
【００８８】
次に、第１の基板を接着剤形成室（１）１１０８に搬送する。本実施例では、基板上に形成された有機樹脂層上に接着剤として両面テープが貼り付けられる。（これにより実施例２に示す第１の接着層５１２が形成される。）なお、接着剤形成室（１）１１０８の隣には、予備の両面テープが備えられ、両面テープの供給が可能な接着剤供給室（１）１１０９が接続されている。
【００８９】
次に、基板を受け渡し室（Ｂ）１１０４ｂから、搬送室（Ｃ）１１０２ｃの搬送機構（Ｃ）１１０３ｃにより、基板貼付室（１）１１１０に搬送する。なお、基板貼付室（１）１１１０において、先に基板上に貼り付けられた両面テープ上に新たな第２の基板（実施例２における第２の基板５１３）を貼り付けることができる。また、基板貼付室（１）１１１０の隣には、基板が備えられ、基板の供給が可能な基板供給室（１）１１１１が接続されている。
【００９０】
次に、第１の基板（第２の基板が貼り付けられている）を接着剤形成室（２）１１１２に搬送する。本実施例では、基板上の裏面に接着剤として両面テープが貼り付けられる。（これにより実施例２に示す第２の接着層５１４が形成される。）なお、接着剤形成室（２）１１１２の隣には、予備の両面テープが備えられ、両面テープの供給が可能な接着剤供給室（２）１１１３が接続されている。
【００９１】
次に、第１の基板を基板貼付室（２）１１１４に搬送する。なお、基板貼付室（２）１１１４において、先に基板の裏面に貼り付けられた両面テープ上に新たな第３の基板（実施例２における第３の基板５１５）を貼り付けることができる。また、基板貼付室（２）１１１４の隣には、基板が備えられ、基板の供給が可能な基板供給室（２）１１１５が接続されている。
【００９２】
次に、基板を剥離室（１）１１１６に搬送する。ここで、実施例２において図６（Ａ）で示すように第１の基板及び第３の基板が剥離される。なお、剥離室（１）１１１６の隣には、剥離された第１の基板および第３の基板が回収可能な基板回収室（１）１１１７が接続されている。
【００９３】
次に第１の基板および第３の基板が剥離された素子形成層（第２の基板を含む）は、パターン形成室１１１８およびエッチング室１１１９に搬送される。なお、パターン形成室１１１８において、レジストパターンを形成した後、エッチング室１１１９においてエッチング処理が行われ、実施例２において、図６（Ｂ）で示すように剥離面の一部に開口部が形成される。開口部が形成された後、スパッタリング室１１２０に搬送され、開口部に補助配線が形成される。なお、ここで配線材料に用いられる材料などに関しては、実施例２に示されているので参照すればよい。
【００９４】
次に、素子形成層（第２の基板を含む）は、塗布室（２）１１２１に搬送され、補助配線が形成された面に接着剤が形成される。なお、本実施例の場合には、接着剤として非水溶性の異方導電性接着剤が塗布法により形成されるが、印刷法により形成することもできる。また、実施例２の場合には、第４の基板上に接着剤を形成し、これを素子形成層に貼り付ける場合について示しているが、本実施例に示すように素子形成層側に接着剤を形成し、これに第４の基板を貼り付けるという方法を用いることも可能である。
【００９５】
次に、基板貼付室（２）１１２２に搬送される。ここで、素子形成層（第２の基板を含む）が、非水溶性の異方導電性接着剤により第４の基板に接着される。なお、この場合における第４の基板は、貼り付けられる素子形成層が集積回路の１層目である場合には、駆動回路が形成された基板のことを示すが、貼り付けられる素子形成層が集積回路の２層目である場合には、基板上に駆動回路及び１層目の集積回路が形成された基板のことを示すものとする。また、基板貼付室（２）１１２２の隣には、このような第４の基板が備えられた基板供給室（３）１１２３が接続されている。
【００９６】
次に、基板を受け渡し室（Ｂ）１１０４ｂから、搬送室（Ｂ）１１０２ｂの搬送機構（Ｂ）１１０３ｂにより、ＵＶ照射室（２）１１２４に搬送する。なお、ＵＶ照射室（２）１１２４において、先に基板上に貼り付けられた両面テープ（実施例２における第１の接着層５１２）に紫外線を照射することにより、両面テープの接着力を低下させることができる。
【００９７】
次に、剥離室（２）１１２５では、実施例２において図７（Ｂ）で示すように弱められた接着力で接着されている第２の基板を剥離する。なお、剥離室（２）１１２５の隣には、剥離された第２の基板が回収可能な基板回収室（２）１１２６が接続されている。
【００９８】
次に、接着剤リムーバ室１１２７において、第２の基板を接着していた両面テープの除去を行う。なお、実施例２で示すように第２の基板と共に両面テープが除去される場合には、接着剤リムーバ室１１２７での処理を省略することもできる。
【００９９】
次に、洗浄室１１２８において、第２の基板および両面テープを除去して露出した有機樹脂層を水洗する。なお、有機樹脂層を形成する有機樹脂は水溶性であることから水洗することにより除去することができる。
【０１００】
本実施例で示す装置を用いることにより、実施例２で示した積層構造を有する集積回路を自動で作製することができる。なお、本実施例で示す装置は、受け渡し室により、搬送室が複数に分けられているので、異なる搬送室で同時に処理を行うことができるので、スループットを向上させることができる。なお、本実施例では、受け渡し室が２つで、搬送室が３つの場合について示したが、これに限られることはなく搬送室が２であっても、４つ以上であっても良い。
【０１０１】
（実施例５）
本実施例では、パネルの画素部に発光素子が形成される場合の素子構造について、図１２を用いて説明する。なお、図１２（Ａ）は、画素部における発光素子の断面構造について示すものであり、図１２（Ｂ）（Ｃ）は、発光素子の素子構造について示したものである。なお、ここで示す発光素子は、電流制御用ＴＦＴと電気的に接続された第１の電極と、電界発光層を挟んで形成された第２の電極により形成される。
【０１０２】
図１２（Ａ）において、基板１２０１上に薄膜トランジスタ（ＴＦＴ）が形成されている。なお、ここでは、発光素子１２１５の第１の電極１２１０と電気的に接続され、発光素子１２１５に供給される電流を制御する機能を有する電流制御用ＴＦＴ１２２２と、電流制御用ＴＦＴ１２２２のゲート電極に印加されるビデオ信号を制御するためのスイッチング用ＴＦＴ１２２１を示す。
【０１０３】
基板１２０１としては、遮光性を有するシリコン基板を用いるが、ガラス基板、石英基板、樹脂基板、フレキシブルな基板材料（プラスチック）を用いても良い。また、各ＴＦＴの活性層は、少なくともチャネル形成領域１２０２、ソース領域１２０３、ドレイン領域１２０４を備えている。
【０１０４】
また、各ＴＦＴの活性層は、ゲート絶縁膜１２０５で覆われ、ゲート絶縁膜１２０５を介してチャネル形成領域１２０２と重なるゲート電極１２０６が形成されている。また、ゲート電極１２０６を覆って層間絶縁膜１２０８が設けられている。なお、層間絶縁膜１２０８を形成する材料としては、酸化珪素、窒化珪素および窒化酸化珪素等の珪素を含む絶縁膜の他、ポリイミド、ポリアミド、アクリル（感光性アクリルを含む）、ＢＣＢ（ベンゾシクロブテン）といった有機樹脂膜を用いることができる。
【０１０５】
次に、層間絶縁膜１２０８上に電流制御用ＴＦＴ１２２２のソース領域１２０３と電気的に接続された配線１２０７、およびドレイン領域１２０４と電気的に接続された第１の電極１２１１が設けられる。なお、第１の電極１２１１が陽極である場合には、電流制御用ＴＦＴ２２２をｐチャネル型で形成し、陰極である場合には電流制御用ＴＦＴ２２２をｐチャネル型で形成するのが望ましい。
【０１０６】
また、第１の電極１２１１の端部、および配線１２０７等を覆って絶縁層１２０９が形成される。次に、第１の電極１２１１上に電界発光層１２１３が形成され、その上に、第２の電極１２１４を形成することにより発光素子１２１５を完成させることができる。
【０１０７】
なお、本実施例において、第１の電極１２１１および第２の電極１２１４の材料を適宜選択することができるが、陽極として機能させる電極を形成する場合には、一般的に仕事関数の大きい導電性材料（例えば、仕事関数が４．０ｅＶ以上）を用いることが好ましく、陰極として機能させる電極を形成する場合には、一般的に仕事関数の小さい導電性材料（例えば、仕事関数が３．５ｅＶ以下）を用いることが好ましい。また、電界発光層において生じた光を透過させる電極を形成する場合には、透光性の材料を用いて電極を形成する必要がある。なお、この場合において、いずれか一方の電極のみを透光性の材料で形成し、他方を遮光性の材料で形成しても良いが、両方の電極材料を透光性の材料で形成することにより、両電極から光を出射させることのできる発光素子を形成することができる。
【０１０８】
また、図１２（Ａ）に示す発光素子において、陽極となる電極から電界発光層１２１３に正孔が注入され、陰極となる電極から電界発光層１２１３に電子が注入される。そして、電界発光層１２１３において、正孔と電子が再結合することにより発光が得られる。
【０１０９】
また、電界発光層１２１３は、少なくとも発光層を含み、正孔注入層、正孔輸送層、ブロッキング層、電子輸送層、および電子注入層といったキャリアに対する機能の異なる層のいずれか一つ、もしくは複数を組み合わせて積層することにより形成される。
【０１１０】
また、電界発光層１２１３を形成する材料としては、低分子系、高分子系、もしく中分子系の公知の有機化合物を用いることができる。なお、ここでいう中分子系の有機化合物とは、昇華性を有さず、分子数が２０以下、又は連鎖する分子の長さが１０μｍ以下の材料のことをいう。
【０１１１】
なお、電界発光層１２１３を形成する材料として、具体的には以下に示すような材料を用いることができる。
【０１１２】
正孔注入層を形成する正孔注入材料としては、有機化合物であればポルフィリン系の化合物が有効であり、フタロシアニン（以下、Ｈ２−Ｐｃと示す）、銅フタロシアニン（以下、Ｃｕ−Ｐｃと示す）などがある。導電性高分子化合物に化学ドーピングを施した材料もあり、ポリスチレンスルホン酸（以下、ＰＳＳと示す）をドープしたポリエチレンジオキシチオフェン（以下、ＰＥＤＯＴと示す）や、ポリアニリン、ポリビニルカルバゾール（以下、ＰＶＫと示す）などが挙げられる。
【０１１３】
正孔輸送層を形成する正孔輸送材料としては、芳香族アミン系（すなわち、ベンゼン環−窒素の結合を有するもの）の化合物が好適である。広く用いられている材料として、例えば、先に述べたＴＰＤの他、その誘導体である４，４’−ビス［Ｎ−（１−ナフチル）−Ｎ−フェニル−アミノ］−ビフェニル（以下、「α−ＮＰＤ」と記す）や、４，４’，４’’−トリス（Ｎ，Ｎ−ジフェニル−アミノ）−トリフェニルアミン（以下、「ＴＤＡＴＡ」と記す）、４，４’，４’’−トリス［Ｎ−（３−メチルフェニル）−Ｎ−フェニル−アミノ］−トリフェニルアミン（以下、「ＭＴＤＡＴＡ」と記す）などのスターバースト型芳香族アミン化合物が挙げられる。
【０１１４】
発光層を形成する発光材料としては、具体的には、トリス（８−キノリノラト）アルミニウム（以下、Ａｌｑ３と示す）、トリス（４−メチル−８−キノリノラト）アルミニウム（以下、Ａｌｍｑ３と示す）、ビス（１０−ヒドロキシベンゾ［ｈ］−キノリナト）ベリリウム（以下、ＢｅＢｑ２と示す）、ビス（２−メチル−８−キノリノラト）−（４−ヒドロキシ−ビフェニリル）−アルミニウム（以下、ＢＡｌｑと示す）、ビス［２−（２−ヒドロキシフェニル）−ベンゾオキサゾラト］亜鉛（以下、Ｚｎ（ＢＯＸ）２と示す）、ビス［２−（２−ヒドロキシフェニル）−ベンゾチアゾラト］亜鉛（以下、Ｚｎ（ＢＴＺ）２と示す）などの金属錯体の他、各種蛍光色素が有効である。また、三重項発光材料も可能であり、白金ないしはイリジウムを中心金属とする錯体が主体である。三重項発光材料としては、トリス（２−フェニルピリジン）イリジウム（以下、Ｉｒ（ｐｐｙ）３と示す）、２，３，７，８，１２，１３，１７，１８−オクタエチル−２１Ｈ，２３Ｈ−ポルフィリン−白金（以下、ＰｔＯＥＰと示す）などが知られている。
【０１１５】
電子輸送層を形成する電子輸送材料としては、金属錯体がよく用いられ、先に述べたＡｌｑ３、Ａｌｍｑ３、ＢｅＢｑ２などのキノリン骨格またはベンゾキノリン骨格を有する金属錯体や、混合配位子錯体であるＢＡｌｑなどが好適である。また、Ｚｎ（ＢＯＸ）２、Ｚｎ（ＢＴＺ）２などのオキサゾール系、チアゾール系配位子を有する金属錯体もある。さらに、金属錯体以外にも、２−（４−ビフェニリル）−５−（４−ｔｅｒｔ−ブチルフェニル）−１，３，４−オキサジアゾール（以下、ＰＢＤと示す）、１，３−ビス［５−（ｐ−ｔｅｒｔ−ブチルフェニル）−１，３，４−オキサジアゾール−２−イル］ベンゼン（以下、ＯＸＤ−７と示す）などのオキサジアゾール誘導体、３−（４−ｔｅｒｔ−ブチルフェニル）−４−フェニル−５−（４−ビフェニリル）−１，２，４−トリアゾール（以下、ＴＡＺと示す）、３−（４−ｔｅｒｔ−ブチルフェニル）−４−（４−エチルフェニル）−５−（４−ビフェニリル）−１，２，４−トリアゾール（以下、ｐ−ＥｔＴＡＺと示す）などのトリアゾール誘導体、バソフェナントロリン（以下、ＢＰｈｅｎと示す）、バソキュプロイン（以下、ＢＣＰと示す）などのフェナントロリン誘導体が電子輸送性を有する。
【０１１６】
その他、ブロッキング層を含める場合には、ブロッキング層を形成する正孔阻止材料として、上で述べたＢＡｌｑ、ＯＸＤ−７、ＴＡＺ、ｐ−ＥｔＴＡＺ、ＢＰｈｅｎ、ＢＣＰなどが、励起エネルギーレベルが高いため有効である。
【０１１７】
図１２（Ｂ）には、第１の電極１２３１が透光性の材料で形成された陽極であり、第２の電極１２３３が遮光性の材料で形成された陰極である場合の構成について示す。この場合には、第１の電極１２３１は、酸化インジウム・スズ（ＩＴＯ）膜、酸化インジウムに２〜２０［％］の酸化亜鉛（ＺｎＯ）を混合した透明導電膜、ＩＺＯ、およびＩｎ２Ｏ３−ＺｎＯといった透明導電膜を用いて形成することができ、第２の電極１２１４は、Ａｌ、Ｔｉ、Ｗ、等を用いて形成することができるが、ここでは、第１の電極１２３１にＩＴＯを用い、第２の電極１２３３には、Ａｌを用いた場合について示す。そして、電界発光層１２３２で生じた光は、第１の電極１２３１側から出射される。なお、この構成において、電界発光層１２３２を形成する材料は、先に示した材料を適宜選択して用いることができる。
【０１１８】
なお、本発明は上記構成に限られることはなく、第１の電極１２３１を遮光性の陽極で形成し、第２の電極１２３３を透光性の陰極となるように形成することもできる。この場合には、第２の電極１２３２側から光が出射される。
【０１１９】
図１２（Ｃ）には、第１の電極１２４１および第２の電極１２４３の両方が、透光性の材料で形成されており、第１の電極が陽極で、第２の電極１２４３が陰極である場合の構成について示す。この場合には、第１の電極１２４１は、図１２（Ｂ）で示した場合と同様に酸化インジウム・スズ（ＩＴＯ）膜、酸化インジウムに２〜２０［％］の酸化亜鉛（ＺｎＯ）を混合した透明導電膜、ＩＺＯ、およびＩｎ２Ｏ３−ＺｎＯといった透明導電膜を用いて形成することができ、第２の電極１２４３は、仕事関数の小さい材料であるＭｇ：Ａｇ（マグネシウムと銀の合金）とＩＴＯを積層することにより形成することができる。この場合には、電界発光層１２４２で生じた光は、第１の電極１２４１および第２の電極１２４３の両方側から出射される。なお、この構成においても、電界発光層１２４２を形成する材料は、先に示した材料を適宜選択して用いることができる。
【０１２０】
さらに、本実施例では、図１２（Ｃ）で示す構成とは別に、第１の電極及び第２の電極の両方から光を出射させる構成について図１３を用いて説明する。
【０１２１】
図１３（Ａ）に示すように第１の電極１３０１が陽極で、第２の電極１３０３が陰極であるにもかかわらず、いずれもＩＴＯにより形成されている。しかし、この場合には、電界発光層１３０２の構造に特徴がある。すなわち、陰極となる第１の電極１３０３と接して形成される電界発光層には、仕事関数の小さいＬｉ、Ｃｓ等のアルカリ金属がドーピングされたドーピング層１３０４を有している。これにより、陰極側の電界発光層１３０２の仕事関数を小さくすることができるので、陰極となる第２の電極１３０３の電極材料にＩＴＯを用いた場合にも陰極として機能させることができる。
【０１２２】
なお、図１３（Ｂ）には、電界発光層１３０２が、正孔注入層１３０５、正孔輸送層１３０６、発光層１３０７、ブロッキング層１３０８、電子輸送層１３０９およびドーピング層１３０４により積層形成される場合について示したが、第２の電極１３０３と接する電界発光層１３０２にドーピング層を形成する以外の積層構成は上述した材料を適宜選択して用いることができる。
【０１２３】
（実施例６）
本実施例では、パネルの画素部に液晶素子が形成される場合の素子構造について、図１４を用いて説明する。
【０１２４】
図１４に示すように基板１４０１上には、ＴＦＴ１４０２が形成されており、層間絶縁膜１４０３の開口部に形成された配線１４０４を介して、画素電極となる第１の電極１４０５と電気的に接続されている。また、第１の電極１４０５上には配向膜１４０６が形成されており、ラビング処理がなされている。また、基板間隔を保持するための有機樹脂からなる柱状のスペーサ１４０７が設けられている。なお、スペーサ１４０７および配向膜１４０６の形成順序は逆でも良い。
【０１２５】
一方、対向基板１４１３は、基板上に着色層１４０８、平坦化膜１４０９、透明性導電膜からなる対向電極１４１０および配向膜１４１１を有している。なお、着色層１４０８として、赤色の着色層、青色の着色層、および緑色の着色層がそれぞれ形成されていてもよい。
【０１２６】
素子が形成された基板１４０１と対向基板１４０７とは、シール剤（図示せず）で貼り合わされている。なお、シール剤にはフィラーが混入されていて、このフィラーとスペーサによって均一な間隔（好ましくは２．０〜３．０μｍ）を維持しつつ２枚の基板が貼り合わされている。また、両基板の間には液晶１４１２が注入されており、封止剤によって完全に封止されている。なお、液晶１４１２には公知の液晶材料を用いることができる。
【０１２７】
なお、図１４に示した構造とした場合、光は、対向基板１４１３側から入射し、液晶１４１２で変調されて、素子が形成された基板１４０１側から出射する。
【０１２８】
なお、本発明においては、第１の電極に反射性を有する金属膜（具体的には、アルミニウム（合金）膜等）を用いて形成することもできる。この場合には、光が対向基板１４０７側から入射し、液晶１４１２で変調された後、再び対向基板１４１３側から出射する。なお、このような構造とした場合には、第１の電極の下方に光が透過することがないため、メモリ素子や抵抗素子等を設けることもできる
【０１２９】
（実施例７）
本発明を実施することにより、積層構造を有する集積回路をパネル上に含むモジュールを完成させることができる。従って、これらのモジュールを組み込むことにより様々な電子機器を完成させることができる。
【０１３０】
これらの電子機器としては、ビデオカメラ、デジタルカメラ、ヘッドマウントディスプレイ、（ゴーグル型ディスプレイ）、カーナビゲーション、プロジェクタ、カーステレオ、パーソナルコンピュータ、携帯情報端末（モバイルコンピュータ、携帯電話、携帯型ゲーム機または電子書籍等）等の記録媒体を再生し、その画像を表示しうる半導体装置を備えた装置）等が挙げられる。これら電子機器の具体例を図１４に示す。
【０１３１】
図１４（Ａ）は表示装置であり、筐体２００１、支持台２００２、表示部２００３、スピーカー部２００４、ビデオ入力端子２００５等を含む。なお、表示部２００３のモジュールは、転写技術を用いて形成された集積回路を有している。なお、表示装置は、パソコン用、ＴＶ放送受信用、広告表示用などの全ての情報表示用装置が含まれる。
【０１３２】
図１４（Ｂ）はノート型パーソナルコンピュータであり、本体２２０１、筐体２２０２、表示部２２０３、キーボード２２０４、外部接続ポート２２０５、ポインティングマウス２２０６等を含む。なお、表示部２２０３のモジュールは、転写技術を用いて形成された集積回路を有している。
【０１３３】
図１４（Ｃ）はモバイルコンピュータであり、本体２３０１、表示部２３０２、スイッチ２３０３、操作キー２３０４、赤外線ポート２３０５等を含む。なお、表示部２３０２のモジュールは、転写技術を用いて形成された集積回路を有している。
【０１３４】
図１４（Ｄ）はプログラムを記録した記録媒体（以下、記録媒体と呼ぶ）を用いるプレーヤーであり、本体２４０１、表示部２４０２、スピーカー部２４０３、記録媒体２４０４、操作スイッチ２４０５等を含む。なお、このプレーヤーは記録媒体としてＤＶＤ（Ｄｉｇｔｉａｌ  Ｖｅｒｓａｔｉｌｅ  Ｄｉｓｃ）、ＣＤ等を用い、音楽鑑賞や映画鑑賞やゲームやインターネットを行うことができる。
【０１３５】
図１４（Ｅ）は携帯書籍（電子書籍）であり、本体２５０１、表示部２５０２、記憶媒体２５０３、操作スイッチ２５０４、アンテナ２５０５等を含む。なお、表示部２５０２のモジュールは、転写技術を用いて形成された集積回路を有している。
【０１３６】
図１４（Ｆ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９、接眼部２６１０等を含む。なお、表示部２６０２のモジュールは、転写技術を用いて形成された集積回路を有している。
【０１３７】
ここで図１４（Ｇ）は携帯電話であり、本体２７０１、筐体２７０２、表示部２７０３、音声入力部２７０４、音声出力部２７０５、操作キー２７０６、外部接続ポート２７０７、アンテナ２７０８等を含む。なお、表示部２７０３のモジュールは、転写技術を用いて形成された集積回路を有している。
【０１３８】
以上の様に、本発明により作製された集積回路を有するモジュールの適用範囲は極めて広く、あらゆる分野の応用製品に適用することが可能である。
【０１３９】
【発明の効果】
本発明において、従来パネルの外部に形成されていた集積回路をパネル上の駆動回路に積層形成することにより、システムオンパネルの狭額縁化を実現することができる。さらに、システムの高機能化、多機能化を図ることができる。
【図面の簡単な説明】
【図１】本発明の構成について説明する図。
【図２】本発明の積層回路について説明する図。
【図３】本発明のパネルの構成について説明するブロック図。
【図４】ディスプレイコントローラおよび電源回路について説明する図。
【図５】積層された集積回路の作製方法について説明する図。
【図６】積層された集積回路の作製方法について説明する図。
【図７】積層された集積回路の作製方法について説明する図。
【図８】積層された集積回路の作製方法について説明する図。
【図９】積層された集積回路の作製方法について説明する図。
【図１０】積層された集積回路の作製方法について説明する図。
【図１１】転写工程を自動化させた装置について説明する図。
【図１２】画素部に形成される発光素子の構成について説明する図。
【図１３】画素部に形成される発光素子の構成について説明する図。
【図１４】画素部に形成される液晶素子の構成について説明する図。
【図１５】本発明を用いて形成される電子機器について説明する図。
【符号の説明】
１０１  基板
１０２  画素部
１０３  ソース側駆動回路
１０４  １０５  ゲート側駆動回路
１０６  集積回路
１０７  ＦＰＣ
【図１】
2004247373.tif 000003
【図２】
2004247373.tif 000004
【図３】
2004247373.tif 000005
【図４】
2004247373.tif 000006
【図５】
2004247373.tif 000007
【図６】
2004247373.tif 000008
【図７】
2004247373.tif 000009
【図８】
2004247373.tif 000010
【図９】
2004247373.tif 000011
【図１０】
2004247373.tif 000012
【図１１】
2004247373.tif 000013
【図１２】
2004247373.tif 000014
【図１３】
2004247373.tif 000015
【図１４】
2004247373.tif 000016
【図１５】
2004247373.tif 000017